【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
データ供給デバイスと印刷装置とを有し、前記データ供給デバイスから供給される印刷データに基づいて前記印刷装置により画像を印刷する印刷システムであって、
前記データ供給デバイスは、
データファイルを記憶する記憶手段と、
前記印刷装置の機能情報を取得する手段と、
印刷仕様設定のためのＵＩを表示する手段と、
前記記憶手段に記憶されている複数のデータファイルの中から印刷対象のデータファイルを選択する選択手段と、
前記選択手段により選択されたデータファイルと前記機能情報とに応じて前記データファイルを、前記印刷装置が処理可能な印刷データに変換する変換手段と、
前記印刷データを印刷するための印刷ジョブを生成し、前記印刷装置に当該印刷ジョブを送信するジョブ送信手段と、
前記印刷ジョブを受信した前記印刷装置からのデータ要求に応じて、前記印刷データを前記印刷装置に送信するデータ送信手段とを有し、
前記印刷装置は前記データ要求に応じて前記データ送信手段により送信された前記印刷データに基づいて画像を印刷することを特徴とする印刷システム。
【請求項２】
前記機能情報は、前記印刷装置が印刷可能なデータのフォーマット情報を含み、
前記選択手段は、前記機能情報に含まれる前記印刷装置が印刷可能なフォーマットを有するデータファイルを抽出する抽出手段を有することを特徴とする請求項１に記載の印刷システム。
【請求項３】
前記機能情報は、前記印刷装置が印刷可能なデータファイルのフォーマットを含み、
前記選択手段は、前記機能情報に含まれる前記印刷装置が印刷可能なフォーマットに変換可能データファイルを抽出する抽出手段を有することを特徴とする請求項１に記載の印刷システム。
【請求項４】
前記変換手段による変換は、データファイルのフォーマット変換、変倍、色変換、回転の少なくともいずれかを含むことを特徴とする請求項１乃至３のいずれか１項に記載の印刷システム。
【請求項５】
前記変換手段は、前記印刷装置から印刷対象のデータファイルに関する情報の取得要求に応じて、前記印刷対象のデータファイルのデータ変換処理を開始することを特徴とする請求項１乃至４のいずれか１項に記載の印刷システム。
【請求項６】
前記変換手段は、前記印刷対象のデータファイルの印刷が複数ページに亘る場合に前記データファイルをページ単位で分割し、前記印刷装置からのファイル情報の取得要求に応じて各ページ分の印刷データに変換することを特徴とする請求項１乃至５のいずれか１項に記載の印刷システム。
【請求項７】
前記変換手段は、前記印刷対象のデータファイルに他のデータファイルへのリンクが貼られているかを検索するリンク検索部を有し、リンクが貼られたデータが存在した場合に当該リンク先のデータファイルを、前記印刷対象のデータファイルと同様に変換することを特徴とする請求項１乃至６のいずれか１項に記載の印刷システム。
【請求項８】
前記変換手段は、
前記印刷対象のデータファイルの印刷が複数ページに亘る場合に、各ページの印刷サイズを、印刷するシートのサイズに基づいて決定するサイズ決定手段と、
前記シートのアスペクト比に合わせて前記各ページを変倍する変倍手段と、
前記変倍手段により変倍した画像に余白部分を付加する余白付加手段と、
を具備することを特徴とする請求項６又は７に記載の印刷システム。
【請求項９】
前記印刷対象のデータの印刷が複数ページに亘る場合に、ページ分割数分のハンドルを生成する手段を更に有し、
前記印刷装置からのデータ要求は、前記ハンドルに応じて発行されることを特徴とする請求項８に記載の印刷システム。
【請求項１０】
前記印刷データは、圧縮された画像データであることを特徴とする請求項１乃至９のいずれか１項にに記載の印刷システム。
【請求項１１】
印刷装置と直接通信し、当該印刷装置に印刷データを供給するデータ供給デバイスであって、
データファイルを記憶する記憶手段と、
前記印刷装置の機能情報を取得する手段と、
印刷仕様設定のためのＵＩ表示する手段と、
前記記憶手段に記憶されている複数のデータファイルの中から印刷対象のデータファイルを選択する選択手段と、
前記選択手段により選択されたデータファイルと、前記機能情報とに応じて前記データファイルを、前記印刷装置が処理可能な印刷データに変換する変換手段と、
前記印刷データを印刷するための印刷ジョブを生成し、前記印刷装置に当該印刷ジョブを送信するジョブ送信手段と、
前記印刷ジョブを受信した前記印刷装置からのデータ要求に応じて、前記印刷データを前記印刷装置に送信するデータ送信手段と、
を有することを特徴とするデータ供給デバイス。
【請求項１２】
前記機能情報は、前記印刷装置が印刷可能なデータファイルのフォーマットを含み、
前記選択手段は、前記機能情報に含まれる前記印刷装置が印刷可能なフォーマットのデータファイルを抽出する抽出手段を有することを特徴とする請求項１１に記載のデータ供給デバイス。
【請求項１３】
前記機能情報は、前記印刷装置が印刷可能なデータファイルのフォーマットを含み、
前記選択手段は、前記機能情報に含まれる前記印刷装置が印刷可能フォーマットに変換可能なフォーマットのデータファイルを抽出する抽出手段を有することを特徴とする請求項１１に記載のデータ供給デバイス。
【請求項１４】
前記変換手段による変換は、データファイルのフォーマット変換、変倍、色変換、回転の少なくともいずれかを含むことを特徴とする請求項１１乃至１３のいずれか１項に記載のデータ供給デバイス。
【請求項１５】
前記変換手段は、前記印刷装置からの印刷対象のデータファイルに関する情報の取得要求に応じて、前記印刷対象のデータファイルから印刷データへの変換を開始することを特徴とする請求項１１乃至１４のいずれか１項に記載のデータ供給デバイス。
【請求項１６】
前記変換手段は、前記印刷対象のデータファイルの印刷が複数ページに亘る場合に前記データファイルをページ単位で分割し、前記印刷装置からの印刷対象のデータファイルに関する情報の取得要求に応じて、データファイルを各ページ分の印刷データに変換することを特徴とする請求項１１乃至１５のいずれか１項に記載のデータ供給デバイス。
【請求項１７】
前記変換手段は、前記印刷対象のデータファイルに他のデータファイルへのリンクが貼られているかを検索するリンク検索部を有し、リンクが貼られたデータが存在した場合に当該リンク先のデータファイルを、前記印刷対象のデータファイルと同様に変換することを特徴とする請求項１１乃至１６のいずれか１項に記載のデータ供給デバイス。
【請求項１８】
前記変換手段は、
前記印刷対象のデータファイルの印刷が複数ページに亘る場合に、各ページの画像サイズを印刷するシートのサイズに基づいて決定するサイズ決定手段と、
前記シートのアスペクト比に合わせて前記各ページのデータを変倍する変倍手段と、
前記変倍手段により変倍した画像に余白部分を付加する余白付加手段と、
を具備することを特徴とする請求項１６又は１７に記載のデータ供給デバイス。
【請求項１９】
前記印刷対象のデータファイルの印刷が複数ページに亘る場合に、前記データファイルのページ分割数分のハンドルを生成する手段を更に有し、
前記印刷装置からの印刷データ要求は、前記ハンドルに応じて発行されることを特徴とする請求項１８に記載のデータ供給デバイス。
【請求項２０】
印刷装置と直接通信し、当該印刷装置に画像データを供給する画像供給デバイスの制御方法であって、
前記印刷装置の機能情報を取得する工程と、
印刷仕様設定のためのＵＩを表示する工程と、
データファイルを記憶するメモリに記憶されている複数のデータファイルの中から印刷対象のデータファイルを選択する選択工程と、
前記選択工程で選択されたデータファイルと前記機能情報とに応じて前記データファイルを、前記印刷装置が処理可能な印刷データに変換する変換工程と、
前記印刷データを印刷するための印刷ジョブを生成し、前記印刷装置に当該印刷ジョブを送信するジョブ送信工程と、
前記印刷ジョブを受信した前記印刷装置からのデータ要求に応じて、前記印刷データを前記印刷装置に送信するデータ送信工程と、
を有することを特徴とする画像供給デバイスの制御方法。
【請求項２１】
前記機能情報は、前記印刷装置が印刷可能なデータのフォーマット情報を含み、
前記選択工程は、前記機能情報に含まれる前記印刷装置が印刷可能なフォーマットを有するデータファイルを抽出する抽出工程を有することを特徴とする請求項２０に記載の画像供給デバイスの制御方法。
【請求項２２】
前記機能情報は、前記印刷装置が印刷可能なデータファイルのフォーマットを含み、
前記選択工程は、前記機能情報に含まれる前記印刷装置が印刷可能なフォーマットに変換可能データファイルを抽出する抽出工程を有することを特徴とする請求項２０に記載の画像供給デバイスの制御方法。
【請求項２３】
前記変換工程での変換は、画像ファイルのフォーマット変換、変倍、色変換、回転の少なくともいずれかを含むことを特徴とする請求項２０乃至２２のいずれか１項に記載の画像供給デバイスの制御方法。
【請求項２４】
前記変換工程では、前記印刷装置から印刷対象のデータファイルに関する情報の取得要求に応じて、前記印刷対象のデータファイルのデータ変換処理を開始することを特徴とする請求項２０乃至２３のいずれか１項に記載の画像供給デバイスの制御方法。
【請求項２５】
前記変換工程では、前記印刷対象のデータファイルの印刷が複数ページに亘る場合に前記データファイルをページ単位で分割し、前記印刷装置からのファイル情報の取得要求に応じて各ページ分の印刷データに変換することを特徴とする請求項２０乃至２４のいずれか１項に記載の画像供給デバイスの制御方法。
【請求項２６】
前記変換工程では、前記印刷対象のデータファイルに他のデータファイルへのリンクが貼られているかを検索するリンク検索部を有し、リンクが貼られたデータが存在した場合に当該リンク先のデータファイルを、前記印刷対象のデータファイルと同様に変換することを特徴とする請求項２０乃至２５のいずれか１項に記載の画像供給デバイスの制御方法。
【請求項２７】
前記変換工程は、
前記印刷対象のデータファイルの印刷が複数ページに亘る場合に、各ページの印刷サイズを、印刷するシートのサイズに基づいて決定するサイズ決定工程と、
前記シートのアスペクト比に合わせて前記各ページを変倍する変倍工程と、
前記変倍工程で変倍した画像に余白部分を付加する余白付加工程と、
を具備することを特徴とする請求項２５又は２６に記載の画像供給デバイスの制御方法。
【請求項２８】
前記印刷対象のデータの印刷が複数ページに亘る場合に、ページ分割数分のハンドルを生成する工程を更に有し、
前記印刷装置からのデータ要求は、前記ハンドルに応じて発行されることを特徴とする請求項２７に記載の画像供給デバイスの制御方法。
【請求項２９】
請求項２０乃至２８のいずれか１項に記載の制御方法をコンピュータに実行させるプログラム。
【請求項３０】
請求項２９に記載のプログラムを記憶した、コンピュータにより読取可能な記憶媒体。
【手続補正２】
【補正対象書類名】明細書
【補正対象項目名】００１１
【補正方法】変更
【補正の内容】
【００１１】
本発明の一態様に係る印刷システムは以下のような構成を備える。即ち、
データ供給デバイスと印刷装置とを有し、前記データ供給デバイスから供給される印刷データに基づいて前記印刷装置により画像を印刷する印刷システムであって、
前記データ供給デバイスは、
データファイルを記憶する記憶手段と、
前記印刷装置の機能情報を取得する手段と、
印刷仕様設定のためのＵＩを表示する手段と、
前記記憶手段に記憶されている複数のデータファイルの中から印刷対象のデータファイルを選択する選択手段と、
前記選択手段により選択されたデータファイルと前記機能情報とに応じて前記データファイルを、前記印刷装置が処理可能な印刷データに変換する変換手段と、
前記印刷データを印刷するための印刷ジョブを生成し、前記印刷装置に当該印刷ジョブを送信するジョブ送信手段と、
前記印刷ジョブを受信した前記印刷装置からのデータ要求に応じて、前記印刷データを前記印刷装置に送信するデータ送信手段とを有し、
前記印刷装置は前記データ要求に応じて前記データ送信手段により送信された前記印刷データに基づいて画像を印刷することを特徴とする。
【手続補正３】
【補正対象書類名】明細書
【補正対象項目名】００１２
【補正方法】変更
【補正の内容】
【００１２】
本発明の一態様に係る画像供給デバイスは以下のような構成を備える。即ち、
印刷装置と直接通信し、当該印刷装置に印刷データを供給するデータ供給デバイスであって、
データファイルを記憶する記憶手段と、
前記印刷装置の機能情報を取得する手段と、
印刷仕様設定のためのＵＩ表示する手段と、
前記記憶手段に記憶されている複数のデータファイルの中から印刷対象のデータファイルを選択する選択手段と、
前記選択手段により選択されたデータファイルと、前記機能情報とに応じて前記データファイルを、前記印刷装置が処理可能な印刷データに変換する変換手段と、
前記印刷データを印刷するための印刷ジョブを生成し、前記印刷装置に当該印刷ジョブを送信するジョブ送信手段と、
前記印刷ジョブを受信した前記印刷装置からのデータ要求に応じて、前記印刷データを前記印刷装置に送信するデータ送信手段と、を有することを特徴とする。
【手続補正４】
【補正対象書類名】明細書
【補正対象項目名】００１３
【補正方法】変更
【補正の内容】
【００１３】
又本発明の一態様に係る画像供給デバイスの制御方法は以下のような工程を有する。即ち、
印刷装置と直接通信し、当該印刷装置に画像データを供給する画像供給デバイスの制御方法であって、
前記印刷装置の機能情報を取得する工程と、
印刷仕様設定のためのＵＩを表示する工程と、
データファイルを記憶するメモリに記憶されている複数のデータファイルの中から印刷対象のデータファイルを選択する選択工程と、
前記選択工程で選択されたデータファイルと前記機能情報とに応じて前記データファイルを、前記印刷装置が処理可能な印刷データに変換する変換工程と、
前記印刷データを印刷するための印刷ジョブを生成し、前記印刷装置に当該印刷ジョブを送信するジョブ送信工程と、
前記印刷ジョブを受信した前記印刷装置からのデータ要求に応じて、前記印刷データを前記印刷装置に送信するデータ送信工程と、
を有することを特徴とする。